Podtech/llm-jp-corpus-v4-ja_patent huggingface dataset:
(57)【要約】  【課題】  外径の異なる環状の蛍光ランプに対応できるソケットを備えた照明器具を提供する。  【解決手段】  天井に取り付けられる本体１の下面に反射板２をビスなどで固定し、本体１と反射板２にて環状の蛍光ランプ３、４、または５を装着するソケット６を挟み止めた照明器具であって、ソケット６の側面において内外方向の異なる位置に第一凸部７と第二凸部８を各々設けることにより、外径の異なる蛍光ランプ３、４、５に対応して第一凸部７または第二凸部８に反射板２の切り欠き縁９を選択的に係止した照明器具である。ソケット６の上面に形成した略Ｌ状の複数の係止部１０は本体１の孔１１に挿入されてから、ソケット６を内向きにスライドすることにより本体１に係止され、第一凸部７または第二凸部８に反射板２の切り欠き縁９を選択的に係止すると、ソケット６の戻り止めが成される。【選択図】  図１
2005353301.tif 000002
【特許請求の範囲】
【請求項１】
本体の下面に反射板を固定し、本体と反射板にて環状の蛍光ランプを装着するソケットを挟み止めた照明器具であって、ソケットの側面において内外方向の異なる位置に第一凸部と第二凸部を各々設けることにより、外径の異なる蛍光ランプに対応して第一凸部または第二凸部に反射板の切り欠き縁を選択的に係止した照明器具。
【請求項２】
請求項１において、本体のソケット取付面の高さを外径の異なる蛍光ランプに対応して異ならせた照明器具。
【発明の詳細な説明】
【技術分野】
【０００１】
本発明は、外径の異なる環状の蛍光ランプに対応できるソケットを備えた照明器具に関する。
【背景技術】
【０００２】
特許文献１では、本体の下面に反射板を固定し、本体と反射板にて環状の蛍光ランプを装着するソケットを挟み止めた照明器具であって、ソケットの側面において凸部(鍔部)を設けることにより、凸部に反射板の切り欠き縁を係止している。
【特許文献１】特開２００４−１３４１２５号公報
【発明の開示】
【発明が解決しようとする課題】
【０００３】
しかし、２つの環状蛍光ランプを装着できるソケットが用いられ、１つのソケットで外径が異なる環状の蛍光ランプに対応する考え方は全く示唆されていない。本発明はこのような解決すべき課題を鑑み、外径の異なる環状の蛍光ランプに対応できるソケットを備えた照明器具を提供することを目的とする。
【課題を解決するための手段】
【０００４】
本発明を要約すると、本体の下面に反射板を固定し、本体と反射板にて環状の蛍光ランプを装着するソケットを挟み止めた照明器具であって、ソケットの側面において内外方向の異なる位置に第一凸部と第二凸部を各々設けることにより、外径の異なる蛍光ランプに対応して第一凸部または第二凸部に反射板の切り欠き縁を選択的に係止した照明器具である。
【発明の効果】
【０００５】
本発明によれば、外径の異なる蛍光ランプに対応してソケット側面の第一凸部または第二凸部に反射板の切り欠き縁を選択的に係止できるため、外径の異なる環状の蛍光ランプに容易に対応できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、天井に取り付けられる本体１の下面に反射板２をビスなどで固定し、本体１と反射板２にて環状の蛍光ランプ３、４、または５を装着するソケット６を挟み止めた照明器具であって、ソケット６の側面において内外方向の異なる位置に第一凸部７と第二凸部８を各々設けることにより、外径の異なる蛍光ランプ３、４、５に対応して第一凸部７または第二凸部８に反射板２の切り欠き縁９を選択的に係止した照明器具である。
【０００８】
なお、ソケット６の上面に形成した略Ｌ状の複数の係止部１０は本体１の孔１１に挿入されてから、ソケット６を内向きにスライドすることにより本体１に係止され、第一凸部７または第二凸部８に反射板２の切り欠き縁９を選択的に係止すると、ソケット６の戻り止めが成される。なお、図１と図５は大径の二重環状の蛍光ランプ３使用時、図２と図６は中径の二重環状の蛍光ランプ４使用時、図３と図７及び図８は小径の二重環状の蛍光ランプ５使用時である。
【０００９】
図１と図５では、第一凸部７の斜め下縁に反射板２の切り欠き縁９を係止し、図２と図６では、第二凸部８に反射板２の切り欠き縁９を係止し、図３と図７及び図８では、第二凸部８に反射板２の切り欠き縁９を係止している。また、図３と図７及び図８では、本体１のソケット取付面１２の高さを他の本体１とは異なり下向きに窪ませて、外径の異なる蛍光ランプすなわち小径の蛍光ランプ５に対応して異ならせている。この目的は、内径の最も小さい蛍光ランプ５が反射板２の下端面に接触しないようにすることにある。
【００１０】
本実施形態によれば、外径の異なる蛍光ランプ３、４、５に対応してソケット６側面の第一凸部７または第二凸部８に反射板２の切り欠き縁９を選択的に係止できるため、外径の異なる環状の蛍光ランプ３、４、５に容易に対応できる。
【図面の簡単な説明】
【００１１】
【図１】大径の蛍光ランプを装着した照明器具の半断面図
【図２】中径の蛍光ランプを装着した照明器具の半断面図
【図３】小径の蛍光ランプを装着した照明器具の半断面図
【図４】ソケットの斜視図
【図５】大径の蛍光ランプに対応した照明器具の下面斜視図
【図６】中径の蛍光ランプに対応した照明器具の下面斜視図
【図７】小径の蛍光ランプに対応した照明器具の下面斜視図
【図８】小径の蛍光ランプに対応した照明器具の上面斜視図
【符号の説明】
【００１２】
１  本体
２  反射板
３、４、５  環状の蛍光ランプ
６  ソケット
７  第一凸部
８  第二凸部
９  切り欠き縁
【図１】
2005353301.tif 000003
【図２】
2005353301.tif 000004
【図３】
2005353301.tif 000005
【図４】
2005353301.tif 000006
【図５】
2005353301.tif 000007
【図６】
2005353301.tif 000008
【図７】
2005353301.tif 000009
【図８】
2005353301.tif 000010
(57)【要約】本発明は放電管の汚れ延命と多量のマイナスイオンを発生させる事を目的としたものである。【課題】本発明は金を使用する為に価格が高くなってしまう。【解決手段】本発明は、金属本体を安価な材質を使う事が出来、金メッキを使用する事により安価で且つ多量生産を可能にした。又、汚れの付着による機能低下を延命させる為に多重構造を採用する事により長時間の性能アップを可能にした。【選択図】図１
2005353558.tif 000002
【特許請求の範囲】
【請求項１】
外放電受電極図１−１及び円錐受電極図１−２の金属に金メッキ図１−５を付けた受電極を使用する事で、放電発生を高める事により、マイナスイオン量が多く発生できる放電管。
【請求項２】
イオン及びオゾン発生で汚れが生じるが、放電受電極図２−８は多重構造とした為、効率が高まると共に、放電受電極図１−１，図１−２の表面図１−５にカ−ボンや埃等の付着に延命をもたらす放電管。
【発明の詳細な説明】
【技術分野】
【０００１】マイナスイオンを発生させるコロナ放電の時に受け電極として使用する放電管。
【背景技術】
【０００２】電極間でコロナ放電を起こせば室内の埃、煙等の環境では汚れが時間との相関関係で放電受電極に付着する為、マイナスイオンの発生量も少なくなってしまう。
【発明の開示】
【発明が解決しようとする課題】
【０００３】カーボン付着によるマイナスイオン発生減衰の延命とマイナスイオン発生を多くする事。
【課題を解決するための手段】
【０００４】多重構造図１の放電受電極表面に高導電率の金メッキ図１−５を使用する事により、多量のマイナスイオンを発生する事が出来、多重構造にする事で放受電極の寿命を長くする事が出来た。
【発明の効果】
【０００５】多重構造の放電受電極図２−８で発生したマイナスイオンをから強い風量で室内の遠くまで飛ばす事を可能にした。
【発明を実施するための最良の形態】
【０００６】放電受電極図１の外側は円筒図１−１とし、その内部に円を設けた多重構造の金メッキを付した図１−５管を設ける事により、多くのンを発生させ且つ長時間放電による汚染物質のカーボンや汚れの面積を多くする事により流出圧力上がる為、遠くに飛ばす事が出来る。
【実施例１】
【０００７】図１は本発明の放電受電極の多重構造を示す。
【実施例２】
【０００８】図２−８は放電受電極、図２−７は針状電極示す。
【実施例３】
【０００９】図３は放電受電極の多重構造を使用した全体図を示す。
【図面の簡単な説明】
【００１０】
【図１】放電受電極の多重構造であり、周囲は金メッキを施してある。
【図２】コロナ放電を発生させる針放電極を示す。
【図３】放電受電極の多重構造を使用した全体を示す。
【符号の説明】
【００１１】１  外側放電受電極
２  内側放電受電極
３  固定具
４  金属部
５  表面金メッキ部
６  開口部
７  針放電極
８  多重構造放電受電極
９  放電側
１０  高電圧発生部
【図１】
2005353558.tif 000003
【図２】
2005353558.tif 000004
【図３】
2005353558.tif 000005
(57)【要約】  【課題】  側面に互いに離間して突出した上下２つの突出片を備えた矩形状のグローブの角部保護。  【解決手段】  側面に互いに離間して突出した上下２つの突出片１、２を備えた矩形状のグローブ３であって、前記２つの突出片１、２の角部にまたがって装着されるコーナーキャップ４を備えている。２つの突出片１、２の角部にまたがって装着されるコーナーキャップ４を備えたため、先鋭になりやすい前記角部を保護できて、怪我防止及び強度向上に寄与する。また、上下２つの突出片１、２により薄型感を強調できるグローブとして有用である。【選択図】  図２
2005353538.tif 000002
【特許請求の範囲】
【請求項１】
側面に互いに離間して突出した上下２つの突出片を備えた矩形状のグローブであって、前記２つの突出片の角部にまたがって装着されるコーナーキャップを備えた照明器具用グローブ。
【発明の詳細な説明】
【技術分野】
【０００１】
本発明は、角型の照明器具用グローブに関する。
【背景技術】
【０００２】
特許文献１には角型の照明器具用セードが開示され、その角部にある凸部には飾りを嵌合している。
【特許文献１】特開平８−７６２０号公報
【発明の開示】
【発明が解決しようとする課題】
【０００３】
しかし、前記飾りは分割形成したセード素体同士の結合具及び装飾の役割を果たしているが、セード角部に尖った箇所はなく、そのような部分を保護するという意図はない。本発明は、従来とは前提構成の異なるグローブを対象として、側面に互いに離間して突出した上下２つの突出片を備えた矩形状のグローブの角部保護を目的とする。
【課題を解決するための手段】
【０００４】
本発明を要約すると、側面に互いに離間して突出した上下２つの突出片を備えた矩形状のグローブであって、前記２つの突出片の角部にまたがって装着されるコーナーキャップを備えた照明器具用グローブである。
【発明の効果】
【０００５】
本発明によれば、２つの突出片の角部にまたがって装着されるコーナーキャップを備えたため、先鋭になりやすい前記角部を保護できて、怪我防止及び強度向上に寄与する。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１、２の実施形態は、側面に互いに離間して突出した上下２つの突出片１、２を備えた矩形状のグローブ３であって、前記２つの突出片１、２の角部にまたがって装着されるコーナーキャップ４を備えた照明器具用グローブである。本実施形態によれば、２つの突出片１、２の角部にまたがって装着されるコーナーキャップ４を備えたため、先鋭になりやすい前記角部を保護できて、怪我防止及び強度向上に寄与する。また、上下２つの突出片１、２により薄型感を強調できるグローブとして有用である。
【０００８】
さらに詳述すれば、本体５の下面にはランプ６を備え、本体５にグローブ３が適宜手段で着脱可能に装着される。グローブ３は樹脂製の主部３Ａとその両端に固定される樹脂製のエンドカバー３Ｂを備え、双方とも突出片１、２を備えている。そして、エンドカバー３Ｂの上面角部付近には側面に平行な係止溝７があり、係止溝７に対してコーナーキャップ４の上片下面に形成した係止突起８が係止されてコーナーキャップ４が角部にまたがって装着される。装着は、コーナーキャップ４をエンドカバー３Ｂの側面に沿わせてスライドすれば係止突起８が係止溝７に容易に係止される。
【０００９】
図３は他の実施形態を示し、エンドカバー３Ｂの角部付近上面に突起９があり、コーナーキャップ４の上片には突起９に係止する係止スリット１０が形成される。この場合のコーナーキャップ４の装着は角部から４５°方向に行う。
【００１０】
なお、図２ではコーナーキャップ４のない製品仕様でも、図３のような突起９がないため、外観が良い。
【図面の簡単な説明】
【００１１】
【図１】本発明の実施形態を示す分解斜視図
【図２】(A) 同部分分解斜視図  (B) 同組立断面図
【図３】(A) 本発明の他の実施形態を示す部分分解斜視図  (B) 同組立断面図
【符号の説明】
【００１２】
１、２  突出片
３  グローブ
４  コーナーキャップ
【図１】
2005353538.tif 000003
【図２】
2005353538.tif 000004
【図３】
2005353538.tif 000005
(57)【要約】      （修正有）【課題】企業会計において、保険契約と金融機関からの借入金により、税引前純利益の数値と実際の流動資産の金額との乖離を縮小するためのキャッシュフローシステムである。【解決手段】金融機関からの借入金と保険契約締結を同一会計年度に行うことで、３年〜６年の一定期間内に税引前純利益の数値と、実際の流動資産の額との乖離を縮小する。【選択図】図１
2005353021.tif 000002
【特許請求の範囲】
【請求項１】
（イ）任意の金融機関（１）より、運転資金とは別枠で、融資を受ける。
（ロ）保険契約（２）を保険料全期前納払いにより締結する。
（ハ）任意の金融機関（１）は、保険契約（２）に質権設定し、借入金の担保とする。
（ニ）企業会計年度毎に法人が支払うのは、任意の金融機関（１）への借入利息のみとする。
（ホ）３年〜６年経過時に、保険契約（２）を見直し、質権解除と同時に借入金を返済する。
以上の手法による財務体質改善のためのキャッシュフローシステム。
【発明の詳細な説明】
【発明の詳細な説明】
【技術分野】
【０００１】  この発明は、赤字企業以外の企業会計において、当該税引前純利益と流動資産の乖離を縮小するためのキャッシュフローシステムである。
【背景技術】
【０００２】  従来、赤字企業以外の企業会計において、損金計上科目による利益調整あるいは、保険契約を手段とし、利益の先送りをすることによって一時的にキャッシュフローを作り出す手法にとどまった。
これでは、利益は出ているが現金がないという経営者の悩みを解決することはできなかった。
【発明が解決しようとする課題】
【０００３】  したがって、本発明は、こうした企業経営者の悩みを解決するために発明されたものである。
【発明を解決するための手段】
【０００４】  そのシステムを説明すると、
（イ）任意の融資取扱い金融機関（１）より融資を受け、固定負債資産とする。
（ロ）保険料全額損金計上となる保険の契約（２）を全期前納払いにより締結する。
（ハ）保険の契約（２）に質権設定し、融資元本の担保とする。
（ニ）法人は、システム採用期間中、長期前払費用から年払保険料分を取り崩す。
（ホ）同時に、任意の金融機関（１）に借入利息のみ支払う。
（ニ）一定期間経過後、保険契約を見直すことにより、質権解除し、固定負債資産を解消する。
【発明の効果】
【０００５】キャッシュフローシステムを採用した時点より３年〜６年の一定期間に至るまで流動資産の数値が減少していき、企業会計簿上の純利益と実際の流動資産の乖離が縮小される。
【発明を実施するための最良の形態】
【０００６】  流動資産に乏しい法人の取り組みが前提となるので、任意の融資取扱い可能金融機関より、運転資金とは別枠融資を受け、固定負債資産を増加する。
同時期に保険料全期前納払込みによる保険契約を締結。同保険を担保とし、年間保険料および借入利息を損金処理する。
これによって流動資産の動きが抑制され、企業会計簿上の純利益と実際の流動資産の乖離が縮小に向かう。
保険契約の見直しをすることにより質権解除し、保険会社より解約返戻金を受け取るが、同時に融資元本を返済する。
【実施例】
【０００７】  （イ）企業会計簿上、毎期ほぼ一定して３０，０００千円税引前純利益が出ているにもかかわらず、現金がない法人（１）が、本発明のキャッシュフローシステムの採用を決定。
（ロ）取引銀行（２）より５０，０００千円融資を受けた。
（ハ）法人（１）は保険料全期前納払いで保険契約をし、５０，０００千円を保険会社に支払った。
（ニ）取引銀行（２）は、この保険契約に融資の担保として質権を設定。
（ホ）法人（１）は、会計年度５期にわたり取引銀行（２）に借入利息を支払った。
（ヘ）同時に、法人（１）は、会計年度５期にわたり年払保険料相当額を長期前払費用より取り崩した。
（ト）取引銀行（２）は法人（１）の申し出を受け、質権解除し、法人（１）は保険契約を解約した。
（チ）法人（１）は、保険会社より解約返戻金５０，０００千円を受け取った。
（リ）法人（１）は、取引銀行（２）に借入金元本５０，０００千円を返済した。
（ヌ）結果、法人（１）は会計年度５期にわたって３０，０００千円の純利益を出し続けたが、実際に必要とした流動資産は１０，０００千円縮小することができた。
また、毎期の税引前純利益が不定の法人（１）についても、同じ効果が確認できた。
【産業上の利用可能性】
【図面の簡単な説明】キャッシュフローシステムの事務手続きの流れを示した図である。【図１】キャッシュフローシステム採用時点の事務手続きの流れを示した平面図である。
【図２】キャッシュフローシステム解消時点の事務手続きの流れを示した平面図である。
【符号の説明】
【図１】
１融資
２保険加入、全期前納保険料支払い
３保険証券発行
４質権設定
５毎期借入利息支払い
【図２】
１保険解約申し出
２元本返済申し出
３質権解除
４解約返戻金
５融資元本返済
【図１】
2005353021.tif 000003
【図２】
2005353021.tif 000004
(57)【要約】  【課題】  蛍光ランプからの反射光を有効利用するとともに、蛍光ランプの外れ防止を配慮した照明器具を提供する。  【解決手段】  本体１と、本体１の下面を覆う反射板２とを備え、反射板２の外周部に形成した切り欠き縁３と本体１とでランプソケット４の基部が挟まれ、ランプソケット４には二重環状の蛍光ランプ５が装着され、ランプソケット４の略反対側には蛍光ランプ５の抱持具６を設けた照明器具である。そして、反射板２において、切り欠き縁３の付近のみに下向きの膨出部７を形成してランプソケット４の挟み込みを容易にしつつ、反射板２の他の部分は蛍光ランプ５との間隔を相対的に大きくして蛍光ランプ５の上向き光の反射板２による反射光が蛍光ランプ５に蹴られにくいようにし、しかも、蛍光ランプ５を傾けたときに前記膨出部７には蛍光ランプ５が実質的に当接しないようにしている。【選択図】  図１
2005353446.tif 000002
【特許請求の範囲】
【請求項１】
本体と、本体の下面を覆う反射板とを備え、反射板の外周部に形成した切り欠き縁と本体とでランプソケットの基部が挟まれ、ランプソケットには環状の蛍光ランプが装着され、ランプソケットの略反対側には蛍光ランプの抱持具を設けた照明器具であって、反射板において、切り欠き縁の付近のみに下向きの膨出部を形成してランプソケットの挟み込みを容易にしつつ、反射板の他の部分は蛍光ランプとの間隔を相対的に大きくして蛍光ランプの上向き光の反射板による反射光が蛍光ランプに蹴られにくいようにし、しかも、蛍光ランプを傾けたときに前記膨出部には蛍光ランプが実質的に当接しないようにした照明器具。
【発明の詳細な説明】
【技術分野】
【０００１】
本発明は、蛍光ランプからの反射光を有効利用するとともに、蛍光ランプの外れ防止を配慮した照明器具に関する。
【背景技術】
【０００２】
特許文献１は、本体と、本体の下面を覆う反射板とを備え、反射板の外周部に形成した切り欠き縁と本体とでランプソケットの基部が挟まれ、ランプソケットには環状の蛍光ランプが装着され、ランプソケットの略反対側には蛍光ランプの抱持具を設けた照明器具であるが、反射板の切り欠き縁でランプソケットの挟み込みを行っているため、反射板と蛍光ランプとの間隔が狭くなっている。
【特許文献１】特開２００４−１３４１２５号公報
【発明の開示】
【発明が解決しようとする課題】
【０００３】
そうすると、蛍光ランプの上向き光が反射板で反射してもその反射光が蛍光ランプに蹴られやすいため、下方に向かう光束が不足しやすい。本発明はこのような解決すべき課題を鑑み、蛍光ランプからの反射光を有効利用するとともに、蛍光ランプの外れ防止を配慮した照明器具を提供することを目的とする。
【課題を解決するための手段】
【０００４】
本発明を要約すると、本体と、本体の下面を覆う反射板とを備え、反射板の外周部に形成した切り欠き縁と本体とでランプソケットの基部が挟まれ、ランプソケットには環状の蛍光ランプが装着され、ランプソケットの略反対側には蛍光ランプの抱持具を設けた照明器具であって、反射板において、切り欠き縁の付近のみに下向きの膨出部を形成してランプソケットの挟み込みを容易にしつつ、反射板の他の部分は蛍光ランプとの間隔を相対的に大きくして蛍光ランプの上向き光の反射板による反射光が蛍光ランプに蹴られにくいようにし、しかも、蛍光ランプを傾けたときに前記膨出部には蛍光ランプが実質的に当接しないようにした照明器具である。
【発明の効果】
【０００５】
本発明によれば、反射板において、切り欠き縁の付近のみに下向きの膨出部を形成してランプソケットの挟み込みを容易にしつつ、反射板の他の部分は蛍光ランプとの間隔を相対的に大きくして蛍光ランプの上向き光の反射板による反射光が蛍光ランプに蹴られにくいようにし、しかも、蛍光ランプを傾けたときに前記膨出部には蛍光ランプが実質的に当接しないようにしているため、膨出部が支点になって蛍光ランプがランプソケットから不用意に外れるということがない。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、本体１と、本体１の下面を覆う反射板２とを備え、反射板２の外周部に形成した切り欠き縁３と本体１とでランプソケット４の基部が挟まれ、ランプソケット４には二重環状の蛍光ランプ５が装着され、ランプソケット４の略反対側には蛍光ランプ５の抱持具６を設けた照明器具である。そして、反射板２において、切り欠き縁３の付近のみに下向きの膨出部７を形成してランプソケット４の挟み込みを容易にしつつ、反射板２の他の部分は蛍光ランプ５との間隔を相対的に大きくして蛍光ランプ５の上向き光の反射板２による反射光が蛍光ランプ５に蹴られにくいようにし、しかも、蛍光ランプ５を傾けたときに前記膨出部７には蛍光ランプ５が実質的に当接しないようにしている。
【０００８】
さらに詳述すれば、本体１は天井に適宜手段で取り付けられて使用され、本体１の下面に点灯回路基板８を設けており、点灯回路基板８の出力がランプソケット４に供給されている。そして、反射板２はビスなどで本体１に固定される。
【０００９】
なお、ランプソケット４は直下方向に装着孔のあるタイプである。また、図示されないが、ランプソケット４の上面には本体１の孔に係止される突起を持ち、側面には凸部９を形成して反射板２の切り欠き縁３で前記凸部９を支持するとよい。また、抱持具６は１つでもよく、本体１または反射板２にビスなどで固定される。
【００１０】
本実施形態によれば、反射板２において、切り欠き縁３の付近のみに下向きの膨出部７を形成してランプソケット４の挟み込みを容易にしつつ、反射板２の他の部分は蛍光ランプ５との間隔を相対的に大きくして蛍光ランプ５の上向き光の反射板２による反射光が蛍光ランプ５に蹴られにくいようにし、しかも、蛍光ランプ５を傾けたときに前記膨出部７には蛍光ランプ５が実質的に当接しないようにしているため、膨出部７が支点になって蛍光ランプ５がランプソケット４から不用意に外れるということがない。すなわち、図４の２点鎖線のように蛍光ランプ５に力が作用して傾いても、膨出部７には蛍光ランプ５が実質的に当接しないようにしている。
【図面の簡単な説明】
【００１１】
【図１】本発明の実施形態を示す分解斜視図
【図２】同ランプ非装着時の組立下面斜視図
【図３】同ランプ装着時の組立下面斜視図
【図４】同側面図
【図５】同下面図
【符号の説明】
【００１２】
１  本体
２  反射板
３  切り欠き縁
４  ランプソケット
５  蛍光ランプ
６  抱持具
７  膨出部
【図１】
2005353446.tif 000003
【図２】
2005353446.tif 000004
【図３】
2005353446.tif 000005
【図４】
2005353446.tif 000006
【図５】
2005353446.tif 000007
(57)【要約】  【課題】  強度的に満足できるとともに影を生じにくいようにしたグローブを備えた照明器具を提供する  【解決手段】  下面に細管蛍光ランプからなる光源１をもつ本体２と、本体２の下面に装着される半透光性のグローブ３(押出成形による樹脂製のものの両端に樹脂製のエンドカバーを固定したもの)を備え、グローブ３の側面には上下２段の水平片４、５を有し、上側の水平片４の根元側から下側の水平片５の先端側につながる傾斜部６を有する照明器具である。グローブ３の側面に上下２段の水平片４、５及ぴ傾斜部６を有するため、強度向上に寄与し、傾斜部６は上側の水平片４の根元側から下側の水平片５の先端側につながるものであるため、下側の水平片５の端部付近にも光源１からの光が入り込んで外部に透過するため、該部分に影を生じにくくなり、光外観を向上できる。【選択図】  図１
2005353475.tif 000002
【特許請求の範囲】
【請求項１】
下面に光源をもつ本体と、本体の下面に装着される半透光性のグローブを備え、グローブの側面には上下２段の水平片を有し、上側の水平片の根元側から下側の水平片の先端側につながる傾斜部を有する照明器具。
【発明の詳細な説明】
【技術分野】
【０００１】
本発明は、キッチンライトとして好適な照明器具に関する。
【背景技術】
【０００２】
キッチンライトに好適な照明器具としては特許文献１が知られ、使用されているグローブは略半円筒形である。
【特許文献１】特開２００２−９３２３５号公報
【発明の開示】
【発明が解決しようとする課題】
【０００３】
最近では、蛍光ランプとして細管ランプ仕様の照明器具が多くなってきており、キッチンライトとしても薄型感を出すには細管ランプを用いることが必要である。この場合、グローブ形状として当然、薄型のものが必要になる。しかし、単に薄くしただけでは強度面で不足する。そこで、強度向上を狙ってグローブの側面に複数の水平片(リブ)を設けることが考えられる。しかしながら、単に水平片を設けただけでは下側の水平片に影を生じる不具合が発生することが本発明者による試作検討で判明した。本発明はこのような解決すべき課題を鑑み、強度的に満足できるとともに影を生じにくいようにしたグローブを備えた照明器具を提供することを目的とする。
【課題を解決するための手段】
【０００４】
本発明を要約すると、下面に光源をもつ本体と、本体の下面に装着される半透光性のグローブを備え、グローブの側面には上下２段の水平片を有し、上側の水平片の根元側から下側の水平片の先端側につながる傾斜部を有する照明器具である。
【発明の効果】
【０００５】
本発明によれば、グローブ側面に上下２段の水平片及ぴ傾斜部を有するため、強度向上に寄与し、傾斜部は上側の水平片の根元側から下側の水平片の先端側につながるものであるため、下側の水平片の端部付近にも光源からの光が入り込んで外部に透過するため、該部分に影を生じにくくなり、光外観を向上できる。また、斜め下方からは傾斜部を視認しがたいため、あたかも２つのパネルのみが空間を置いて存在するグローブに見えて薄型感を一層強調できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、下面に細管蛍光ランプからなる光源１をもつ本体２と、本体２の下面に装着される半透光性のグローブ３(押出成形による樹脂製のものの両端に樹脂製のエンドカバーを固定したもの)を備え、グローブ３の側面には上下２段の水平片４、５を有し、上側の水平片４の根元側から下側の水平片５の先端側につながる傾斜部６を有する照明器具である。
【０００８】
さらに述べると、本体１は天井に適宜手段で取り付けられ、その下面に点灯回路部７を配置しており、グローブ３は本体１に適宜手段で着脱可能に取り付けられる。また、光源１は本体２の下面に固定され点灯回路部７の出力が供給されたソケット８に装着されている。
【０００９】
本実施形態によれば、グローブ３の側面に上下２段の水平片４、５及ぴ傾斜部６を有するため、強度向上に寄与し、傾斜部６は上側の水平片４の根元側から下側の水平片５の先端側につながるものであるため、下側の水平片５の端部付近にも光源１からの光が入り込んで外部に透過するため、該部分に影を生じにくくなり、光外観を向上できる。
【００１０】
また、斜め下方からは傾斜部６を視認しがたいため、あたかも２つのパネルのみが空間を置いて存在するグローブ３に見えて薄型感を一層強調できる。
【図面の簡単な説明】
【００１１】
【図１】本発明の実施形態を示す断面図
【図２】同分解斜視図
【符号の説明】
【００１２】
１  光源
２  本体
３  グローブ
４、５  水平片
６  傾斜部
【図１】
2005353475.tif 000003
【図２】
2005353475.tif 000004
(57)【要約】  【課題】  反射板の形状に対応して基板への実装密度を向上する。  【解決手段】  リード線タイプの第一部品１…(大型抵抗、コンデンサ、コイル、半固定抵抗など)を下面に実装しチップタイプの第二部品(超小型チップ抵抗など)を上面に実装した基板２を金属製の本体３の下面に配置し、その下面を金属製の反射板４で覆い、さらに反射板４の下面に環状の蛍光ランプ５を設ける。反射板４の下面外周部を斜め上方に向かう傾斜面６とし、第一部品１…のうち背の高い部品(大型抵抗、コンデンサ、コイルなど)を傾斜面６より内周側に実装し、第二部品は傾斜面６の上方にも実装している。【選択図】  図１
2005353403.tif 000002
【特許請求の範囲】
【請求項１】
リード線タイプの第一部品を下面に実装しチップタイプの第二部品を上面に実装した基板を本体の下面に配置し、その下面を金属製の反射板で覆い、さらに反射板の下面に環状の蛍光ランプを設けた照明器具であって、反射板の下面外周部を斜め上方に向かう傾斜面とし、第一部品のうち背の高い部品を傾斜面より内周側に実装し、第二部品は傾斜面の上方にも実装した照明器具。
【発明の詳細な説明】
【技術分野】
【０００１】
本発明は、回路部品実装に考慮を加えた照明器具に関する。
【背景技術】
【０００２】
特許文献１には、部品を下面に実装した基板を本体の下面に配置し、その下面を反射板で覆い、さらに反射板の下面に環状の蛍光ランプを設けた照明器具であって、反射板の下面全体を斜め上方に向かう傾斜面とし、前記部品を傾斜面の外周付近よりは内周側に実装した照明器具が示される。
【特許文献１】特開２００１−１１８４２１号公報
【発明の開示】
【発明が解決しようとする課題】
【０００３】
しかし、チップタイプの部品実装については何らの開示がなく、基板への部品実装密度を向上することは別段考慮されていない。従って、本発明は、反射板の形状に対応して基板への実装密度を向上することを目的とする。
【課題を解決するための手段】
【０００４】
本発明を要約すると、リード線タイプの第一部品を下面に実装しチップタイプの第二部品を上面に実装した基板を本体の下面に配置し、その下面を金属製の反射板で覆い、さらに反射板の下面に環状の蛍光ランプを設けた照明器具であって、反射板の下面外周部を斜め上方に向かう傾斜面とし、第一部品のうち背の高い部品を傾斜面より内周側に実装し、第二部品は傾斜面の上方にも実装した照明器具である。
【発明の効果】
【０００５】
本発明によれば、第一部品のうち背の高い部品を傾斜面より内周側に実装したため、傾斜面(金属製)との絶縁距離を確保しやすく、第二部品は傾斜面の上方にも実装したため、第二部品を広い範囲に渡って多数実装可能になった。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、リード線タイプの第一部品１…(大型抵抗、コンデンサ、コイル、半固定抵抗など)を下面に実装しチップタイプの第二部品(超小型チップ抵抗など;複雑化するため図示せず)を上面に実装した基板２を金属製の本体３の下面に配置し、その下面を金属製の反射板４で覆い、さらに反射板４の下面に環状の蛍光ランプ５を設けた照明器具である。
【０００８】
そして、反射板４の下面外周部を斜め上方に向かう傾斜面６とし、第一部品１…のうち背の高い部品(大型抵抗、コンデンサ、コイルなど)を傾斜面６より内周側に実装し、第二部品は傾斜面６の上方にも実装している。なお、半固定抵抗などの比較的背の低い第一部品は基板２において傾斜面６の上方に実装してもよい。また、第二部品は基板２の上面全体に平均的に分散実装されるとよい。
【０００９】
さらに他の構成を述べると、本体３は天井に適宜手段で取り付けられ、蛍光ランプ５は本体３に取り付けたソケット７から給電されて点灯可能となっている。
【００１０】
本実施形態によれば、第一部品１…のうち背の高い部品を傾斜面６より内周側に実装したため、傾斜面６(金属製)との絶縁距離を確保しやすく、第二部品は傾斜面６の上方にも実装したため、第二部品を広い範囲に渡って多数実装可能になった。これにより、反射板４の形状に対応して基板２への実装密度を向上できた。
【図面の簡単な説明】
【００１１】
【図１】本発明の実施形態を示す断面図
【図２】同分解斜視図
【符号の説明】
【００１２】
１  第一部品
２  基板
３  本体
４  反射板
５  蛍光ランプ
６  傾斜面
【図１】
2005353403.tif 000003
【図２】
2005353403.tif 000004
(57)【要約】【課題】  昇圧チョッパ回路を構成する部品の異常発熱を抑えることのできる放電灯点灯装置を提供する。【解決手段】  交流電源１を備える。交流電源１電圧を整流する整流器２を備える。放電灯６３および該放電灯６３と直列のインダクタ６１および該放電灯６３と並列のコンデンサ６２を含む共振形点灯回路６を備える。昇圧チョッパ回路４を備える。共振形点灯回路６を負荷とし、発振周波数が変えられるインバータ回路５を備える。整流器２の整流電圧を検知する検知回路７を備える。交流電源１が所定の電圧以下になったことを検知回路７で検知しインバータ回路５の発振周波数を高くする。【選択図】    図１
2005222918.tif 000002
【特許請求の範囲】
【請求項１】
交流電源を備え、前記交流電源電圧を整流する整流器を備え、放電灯および該放電灯と直列のインダクタおよび該放電灯と並列のコンデンサを含む共振形点灯回路を備え、昇圧チョッパ回路を備え、かつ前記共振形点灯回路を負荷とし、発振周波数が変えられるインバータ回路を備え、前記整流器の整流電圧を検知する検知回路を備え、前記交流電源が所定の電圧以下になったことを前記検知回路で検知し前記インバータ回路の発振周波数を高くすることを特徴とする放電灯点灯装置。
【発明の詳細な説明】
【技術分野】
【０００１】  本発明は昇圧チョッパ回路と発振周波数が可変できるインバータ回路とその負荷となる共振形点灯回路を備えた放電灯点灯装置に関するものである。
【背景技術】
【０００２】  図３に従来の放電灯点灯装置を示す。同装置は交流電源１を備える。交流電源１電圧を整流する整流器２を備える。放電灯６３、放電灯６３と直列のインダクタ６１、放電灯６３と並列のコンデンサ６２を含む共振形点灯回路６を備える。昇圧チョッパ回路４を備える。共振形点灯回路６を負荷とし、発振周波数が変えられるインバータ回路５を備える。
従来の放電灯点灯装置の動作を説明する。交流電源１が投入され、昇圧チョッパ回路４が動作すると、昇圧チョッパ回路４は一定の直流電圧を出力する。この直流電圧を電源とするインバータ回路５により放電灯６３は点灯する。
しかし、従来の波電灯点灯装置は交流電源１電圧が限度を越えて低下すると、昇圧チョパ回路４が一定の直流電圧を出力し、放電灯６３の電力を一定にするように動作するため、整流器２・昇圧チョッパ回路４のインダクタ４１・ＭＯＳ−ＦＥＴ４２・ダイオード４３に流れる電流が増加する。このため、整流器２・昇圧チョッパ回路４のインダクタ４１・ＭＯＳ−ＦＥＴ４２・ダイオード４３は異常発熱する。
【発明の開示】
【発明が解決しようとする課題】
【０００３】  従来例では、交流電源１電圧が低下すると、昇圧チョッパ回路４が一定の直流電圧を出力し、放電灯６３の電力を一定にするように動作するため、整流器２・昇圧チョッパ回路４のインダクタ４１・ＭＯＳ−ＦＥＴ４２・ダイオード４３に流れる電流が増加する。このため、整流器２・昇圧チョッパ回路４のインダクタ４１・ＭＯＳ−ＦＥＴ４２・ダイオード４３は異常発熱する。本発明の目的はかかる異常発熱を抑制することである。
【課題を解決するための手段】
【０００４】  本発明は交流電源を備える。前記交流電源を整流する整流器を備える。放電灯および該放電灯と直列のインダクタおよび該放電灯と並列のコンデンサを含む共振形点灯回路を備える。昇圧チョッパ回路を備える。前記共振形点灯回路を負荷とし、発振周波数が変えられるインバータ回路を備える。前記整流器の整流電圧を検知する検知回路を備える。前記交流電源が所定の電圧以下になったことを前記検知回路で検知し前記インバータ回路の発振周波数を高くする。
【発明の効果】
【０００５】  本発明は、交流電源電圧が限度を越えて低下した時に、昇圧チョッパ回路を構成する部品に流れる電流の過度の増加を抑えることを特徴とするものである。これによれば、昇圧チョッパ回路を構成する部品の異常発熱を抑えることができる。
【発明を実施するための最良の形態】
【０００６】  図１を用いて本発明の実施形態について説明する。図１の放電灯点灯装置は、交流電源１を備える。交流電源１電圧を整流する整流器２を備える。放電灯６３および該放電灯６３と直列のインダクタ６１および該放電灯６３と並列のコンデンサ６２を含む共振形点灯回路６を備える。昇圧チョッパ回路４を備える。共振形点灯回路６を負荷とし、発振周波数が変えられるインバータ回路５を備える。整流器２の整流電圧を検知する検知回路７を備える。交流電源１が所定の電圧以下になったことを検知回路７で検知しインバータ回路５の発振周波数を高くする。
本発明の放電灯点灯装置の動作を説明する。交流電源１が投入され、昇圧チョッバ回路４が動作すると、昇圧チョッパ回路４は一定の直流電圧を出力する。この直流電圧を電源とし、インバータ回路５により放電灯６３は点灯する。
交流電源１電圧がある限度を越えて過度に低下すると、整流器２の整流電圧を検知する検知回路７で低下した電圧検知し、インバータ回路５の発振周波数を高くする。発振周波数が高くなると、インダクタ６１により放電灯６３の電流は減少し、放電灯６３の電力は低下する。
よって、整流器２、昇圧チョッパ回路４のインダクタ４１、ＭＯＳ−ＦＥＴ４２、ダイオード４３に流れる電流が増加は抑えられ、整流器２、昇圧チョッパ回路４のインダクタ４１、ＭＯＳ−ＦＥＴ４２、ダイオード４３の異常発熱も抑えられる。
図２は本発明の放電灯点灯装置の検知回路７の例示である。ツェナータイオード７４で低下した電圧を検知し、トランジスタ７８をオンさせ、発振周波数を高くする。なお、インバータ回路６の制御回路５４は抵抗値を可変することで発振周波数を可変できる特性であり、制御回路５４に付属する抵抗７９を断続して周波数を可変する。
【図面の簡単な説明】
【００１０】
【図１】本発明の放電灯点灯装置の回路図である。
【図２】同装置の検知回路の回路図である
【図３】従来の放電灯点灯装置の回路図である。
【符号の説明】
１：交流電源、２：整流器、４：昇圧チョッパ回路、５：インバータ回路、６：共振形点灯回路、７：検知回路
【図１】
2005222918.tif 000003
【図２】
2005222918.tif 000004
【図３】
2005222918.tif 000005
(57)【要約】１：回路部、１２：フィルタ回路、１３：整流回路、１４：アクティブフィルタ回路、１５：平滑用コンデンサ、１６：点灯回路、１７：制御川路、１８：ランプ寿命検出回路、１９：ランプ寿命伝達回路、３０：蛍光ランプ、４０：照明器具、５０：調光信号線、６０：制御装置、６１：照度センサ、６２：スケジュールタイマー、７０：商用電源、８０：商用電源【課題】  ランプ３０の定格寿命時間に拠らず複数の照明器具のいずれかのランプ３０が実際に寿命となった場合にランプ３０が寿命であることを知らせるように工夫する。【解決手段】  ランプ３０の定格寿命時間に拠らず複数の照明器具のいずれかのランプ３０が実際に寿命となった場合にランプ３０が寿命であることを知らせる。【選択図】    図１
2005222919.tif 000002
【特許請求の範囲】
【請求項１】
制御装置と調光形照明器具を組合せた照明制御システムにおいて、制御装置からランプの点灯累積時間や明るさセンサー、タイマーなどによる環境や設定に応じた調光信号を入力する機能を備え、ランプが寿命となったことを２本の調光信号線を短絡することこより制御装置に伝達することを特徴とした照明制御システム。
【発明の詳細な説明】
【技術分野】
【０００１】  本発明は、ランプ寿命状態を制御装置に伝達する手段に関する。
【背景技術】
【０００２】  従来は複数の照明器具に調光信号が接続され、それらと電源を同一とする制御装置が電源の通電時間によりランプの点灯累積時間をカウントし、その時間がランプの定格寿命時間となった場合には照明器具のランプを一斉に交換するよう制御装置で知らせていた。
【発明の開示】
【発明が解決しようとする課題】
【０００３】  上記従来技術について、ランプの点灯累積時間が定格寿命に達した場合、正常に点灯するランプも全て破棄しなければならず、ランプ性能を生かしきれないことや使用者に抵抗感があるなどの問題があった。
本発明は、ランプの定格寿命時間に拠らず複数の照明器具のいずれかのランプが実際に寿命となった場合にランプが寿命であることを知らせるように工夫する。
【課題を解決するための手段】
【０００４】  上記目的を達成するために、電子安定器に付加されている寿命ランプ検出回路によりランプが寿命末期であると判定した場合には、制御装置より入力される２本の詞光信号線を短絡する回路を付加することにより制御回路にランプが寿命であることを伝達する。
制御装置からランプの点灯累積時間や明るさセンサー、タイマーなどによる環境や設定に応じて照明器具の明るさを制御する照明制御システムにおいて、ランプの点灯累積時間がランプ定格寿命に達した場合、ランプが寿命であることを複数の照明器具を制御する制御装置に知らせてランプを一斉に交換するが、ランプが定格寿命時間に達すると全てのランプを一斉交換していたため、まだ点灯可能なランプの性能を十分生かしきれないまま捨てることとなる。そこで、システム内のいずれかのランプが実際に寿命となったときにランプを交換することを知らせることにより、ランプの性能を十分に生かすことができ、経済的となる。
【発明の効果】
【０００５】  本発明によれば、複数の照明器具のうちのいずれかのランプか、実際に寿命となった場合にランフが寿命であるここを制御装置に伝達することが可能である。
【発明を実施するための最良の形態】
【０００６】  照明制御システムにおいて省エネを図る手段としては一般的にランプの点灯累積時間や明るさセンサー、タイマーなどによる環境や設定に応じて照明器具の明るさを制御する方法があり、制御装置から出力される調光信号が複数の照明器具に接続されその回路部に入力する。
この様子を図１に示す。照明器具４０の回路部１の構成は、商用電源７０よりフィルタ回路１２を介し、整流回路１３で整流し、アクティブフィルタ回路１４と平滑用コンデンサ１５により直流電源を形成し、これを電源として点灯回路１６により蛍光ランプ等のランプ３０を点灯させる。制御装置６０は照度センサ６１やスケジュールタイマー６２などから設定や環境に応じた調光信号を２本の詞光信号線５０により回路部１の制御回路１７に入力する。実施例では制御装置６０の１台に対して照明器具４０の１台が対応し接続されているが、通常は２本の調光信号線５０は複数の同様な照明器具４０にそれぞれ並列に入力され、一括して制御される。
回路部１においては、制御装置６０から入力される調光信号をマイコン等を含む回路部１に属する制御回路１７で受け、ランプ３０が最適な明るさとなるように点灯回路１６を制御する。
ランプ３０が寿命末期となった場合には、ランプ寿命検出回路１８により検出し、制御回路１７か回路部１およびランプ３０を保護するため発振を停止させるので、ランプ３０が消灯する。一方、ランプ寿命検出回路１８がランプ３０の寿命末期を検出するとランプ寿命伝達回路１９は２本の調光信号線５０を短絡する。これにより、制御回路６０から出力される調光信号線５０には通常よりも遥かにに大きい短絡電流が流れる。この電流を制御装置６０が検出するこここより、複数の照明器具４０に取り付けられたランフ３０のうちのいずれかが寿命末期となったことを制御装置６０に伝達することができる。
従来はランプ３０の点灯累積時間がランプ定格寿命に達した場合にランプ３０が寿命であることを制御装置６０へ伝達したが、この場合は必然的に早めの伝達となる。本発明によれば、その後の実寿命時に伝達がなされるために、ランプ３０が有効に使われる。その後は従来同様であり、制御装置６０はオペレータへ知らせるための信号表示がなされ、当該ランプ３０あるいは同一フロアの他のランプ３０の交換がなされる。
【図面の簡単な説明】
【図１】本発明システムを示す回路である。
【符号の説明】
１：回路部、１２：フィルタ回路、１３：整流回路、１４：アクティブフィルタ回路、１５：平滑用コンデンサ、１６：点灯回路、１７：制御川路、１８：ランプ寿命検出回路、１９：ランプ寿命伝達回路、３０：蛍光ランプ、４０：照明器具、５０：調光信号線、６０：制御装置、６１：照度センサ、６２：スケジュールタイマー、７０：商用電源、８０：商用電源
【図１】
2005222919.tif 000003
(57)【要約】【課題】従来、天井灯カバーは、走行時の振動に耐える強度を必要とするため光が透過する窓の周囲にＬ字形断面の高強度強化プラスチックス製枠を取付ける構造であるため窓と枠の取り合わせ部の精度を必要とするとともに組立作業をともなうため高価であり、また窓と枠の取り合わせ部に隙間が生じたり段差にバラツキが生じて見苦しかった。【解決手段】光が透過する高強度の強化プラスチックスで窓部と枠部を一体に成形したカバーの枠部に光が透過しない着色を施すことを特徴とする天井灯カバー。【選択図】図１
2005222921.tif 000002
【特許請求の範囲】
【請求項１】
光が透過する高強度の強化プラスチックスで窓部と枠部を一体に成形したカバーの枠部に光が透過しない着色を施すことを特徴とする鉄道車両用天井灯カバー。
【発明の詳細な説明】
【技術分野】
【０００１】本発明は、鉄道車両室内の天井に取付く天井灯のカバーに関するものである。
【背景技術】
【０００２】従来、鉄道車両室内の天井に取付く天井灯のカバー（以下天井灯カバーという）は、走行時の振動に耐える強度を必要とするため光が透過する窓の周囲にＬ字形断面の高強度強化プラスチックス製枠を取付け、枠の一辺に蝶番を対辺に押しネジを取り付ける構造であった。これを使用するときは鉄道車両の天井灯を覆うよう蝶番と押しネジで天井に取付けると天井灯の光が天井灯カバーの窓を通して車内を照明する。
天井灯を点検するときには、押しネジをゆるめると天井灯カバーが蝶番を中心に回転して開けられる。
【発明の開示】
【発明が解決しようとする課題】
【０００３】次のような問題点があった。
従来、天井灯カバーは、走行時の振動に耐える強度を必要とするため光が透過する窓の周囲にＬ字形断面の高強度強化プラスチックス製枠を取り付ける構造であるため窓と枠の取り合わせ部の精度を必要とするとともに組立作業をともなうため高価であり、また窓と枠の取り合わせ部に隙間が生じたり段差にバラツキが生じて見苦しかった。
本案は、その欠点を除き安価で見栄えのよい天井灯カバーを開発しょうとするものである。
【課題を解決するための手段】
【０００４】光が透過する高強度の強化プラスチックスで窓部と枠部を一体に成形したカバーの枠部に光が透過しない着色を施すことを特徴とする天井灯カバー。
【発明の効果】
【０００５】本発明は、以上のように光が透過する高強度の強化プラスチックスで窓部と枠部を一体に成形したカバーの枠部に光が透過しない着色を施しているため従来のように窓と枠を組立てる必要がなく部品の精度を必要としなくなり安価である。
また窓部と枠部が一体構造であるため窓部と枠部の取り合わせ部に隙間や段差がなくなり見栄えも良い。
【発明を実施するための最良の形態】
【０００６】以下、本発明の実施の形態について説明する。
光が透過する高強度の強化プラスチックで窓と枠を一体成形したカバー（１）の枠部に光が透過しない着色（２）を施す。
カバー（１）の枠部１辺に蝶番（３）を対辺に押しネジ（４）を取付ける。
本発明は以上のような構成でこれを使用するときはカバー（１）が鉄道車両の天井灯を覆うよう蝶番（３）と押しネジ（４）で鉄道車両の天井に取付けると天井灯の光がカバー（１）の光が透過しない着色（２）のない部分を通して車内を照明する。天井灯を点検するときには、押しネジ（４）をゆるめるとカバー（１）が蝶番（３）を中心に回転して開けられる。
またカバー（１）の枠部に光が透過しないシート（５）を貼り付けてもよい。
カバー（１）の枠部の光が透過しない着色（２）をやめてカバー（１）全面から光を透過させてもよい。
【図面の簡単な説明】
【０００７】
【図１】本発明の斜視図
【図２】本発明の一部を切り欠いた図
【図３】本発明の他の実施例を示す斜視図
【図４】本発明の他の実施例を示す斜視図
【図５】従来の鉄道車両用天井灯カバーの斜視図
【図６】従来の鉄道車両用天井灯カバーの一部を切り欠いた図
【符号の説明】
【０００８】      １  カバー
２  光が透過しない着色
３  蝶番
４  押しネジ
５  光が透過しないシート
６  枠
７  窓
【図１】
2005222921.tif 000003
【図２】
2005222921.tif 000004
【図３】
2005222921.tif 000005
【図４】
2005222921.tif 000006
【図５】
2005222921.tif 000007
【図６】
2005222921.tif 000008